(57)【要約】【課題】静電容量方式のタッチパネルを使用した場合であっても誤操作を防止する。【解決手段】防災設備制御装置は、防災設備を操作するボタンを表示可能な表示部と、防災設備を動作させるか否かの判断結果を入力させる判断結果入力ボタン、及び、前記判断結果入力ボタンによる入力を確定させる判断結果確定ボタンの前記表示部への表示を制御する表示制御部と、防災設備を動作させる入力が確定した場合に防災設備を動作させる動作制御部とを備え、前記表示制御部は、前記判断結果入力ボタンが押下されている押下状態であるときには前記判断結果確定ボタンを押下可能に表示する一方、前記判断結果入力ボタンが押下されていない非押下状態であるときには前記判断結果確定ボタンを押下可能に表示しない。【選択図】図６
2016177338.tif 000002
【特許請求の範囲】
【請求項１】
防災設備を操作するボタンを表示可能な表示部と、
防災設備を動作させるか否かの判断結果を入力させる判断結果入力ボタン、及び、前記判断結果入力ボタンによる入力を確定させる判断結果確定ボタンの前記表示部への表示を制御する表示制御部と、
防災設備を動作させる入力が確定した場合に防災設備を動作させる動作制御部と
を備え、
前記表示制御部は、
前記判断結果入力ボタンが押下されている押下状態であるときには前記判断結果確定ボタンを押下可能に表示する一方、前記判断結果入力ボタンが押下されていない非押下状態であるときには前記判断結果確定ボタンを押下可能に表示しないことを特徴とする防災設備制御装置。
【請求項２】
前記表示制御部は、
前記判断結果入力ボタンを表示する所定画面を前記表示部に表示し、前記所定画面において前記判断結果入力ボタンが押下されたことに基づいて、前記所定画面において前記判断結果確定ボタンを非表示の状態から表示の状態にすることを特徴とする請求項１に記載の防災設備制御装置。
【請求項３】
前記表示制御部は、
前記判断結果入力ボタンが押下状態であるときに、前記判断結果確定ボタンが押下可能に表示されている旨を強調表示することを特徴とする請求項１又は請求項２に記載の防災設備制御装置。
【請求項４】
前記表示制御部は、
前記判断結果入力ボタンが押下状態であるときであっても、当該押下状態になった後の所定時間内は前記判断結果確定ボタンを押下可能に表示しないことを特徴とする請求項１乃至請求項３の何れか１項に記載の防災設備制御装置。
【請求項５】
防災設備を動作させるか否かを指定する指定操作を受け付ける第１操作手段と、
前記第１操作手段によって受け付けられた前記指定操作を確定させる確定操作を受け付ける第２操作手段と、
防災設備を動作させる前記指定操作が確定した場合に、防災設備を動作させる制御手段と
を備え、
前記第２操作手段は、
前記指定操作が行われているときは前記確定操作を受け付ける一方、前記指定操作が行われる前、及び、前記指定操作が行われた後は前記確定操作を受け付けないことを特徴とする防災設備制御装置。
【請求項６】
防災設備を操作するボタンを表示可能な表示部を備える防災設備操作装置における防災設備操作方法であって、
防災設備を動作させるか否かの判断結果を入力させる判断結果入力ボタン、及び、前記判断結果入力ボタンによる入力を確定させる判断結果確定ボタンの前記表示部への表示を制御する表示制御手段と、
防災設備を動作させる入力が確定した場合に防災設備を動作させる動作制御手段と
を有し、
前記表示制御手段は、
前記判断結果入力ボタンが押下されている押下状態であるときには前記判断結果確定ボタンを押下可能に表示する一方、前記判断結果入力ボタンが押下されていない非押下状態であるときには前記判断結果確定ボタンを押下可能に表示しないことを特徴とする防災設備制御方法。
【請求項７】
防災設備を動作させるか否かを指定する指定操作を受け付ける第１操作手段と、
前記第１操作手段によって受け付けられた前記指定操作を確定させる確定操作を受け付ける第２操作手段と、
防災設備を動作させる前記指定操作が確定した場合に、防災設備を動作させる制御手段と
を有し、
前記第２操作手段は、
前記指定操作が行われているときは前記確定操作を受け付ける一方、前記指定操作が行われる前、及び、前記指定操作が行われた後は前記確定操作を受け付けないことを特徴とする防災設備制御方法。
【発明の詳細な説明】
【技術分野】
【０００１】
本発明は、防災設備制御装置及び防災設備制御方法に関するものである。
【背景技術】
【０００２】
火報の受信機や防災ＣＰＵにおいては、防排煙機器の制御等の誤操作を防止する技術が提案されている（例えば、特許文献１参照）。例えば、特許文献１には、所定時間が経過した時には自動的に警報音発生モードを解除する旨が開示されている。また例えば、第１の画面（例えば、「はい」ボタンと「いいえ」ボタンを表示する画面等）において、「はい」が選択された後に、第２の画面（例えば、「決定」ボタンを表示する画面等）を新たに表示するなどして、２段階の操作（第１の画面における「はい」ボタンの押下、第２の画面における「決定」ボタンの押下）を行わせることにより、誤動作を防止する技術も考えられる。
【先行技術文献】
【特許文献】
【０００３】
【特許文献１】特開平１１−２３２５６０号公報
【発明の概要】
【発明が解決しようとする課題】
【０００４】
しかしながら、２段階の操作を行わせる場合であっても、例えば、静電容量方式のタッチパネルを使用した場合には、軽く触れるだけでもボタンが押下されてしまうため、誤操作となる虞がある。
【０００５】
本発明は、このような事情に鑑みてなされたものであって、静電容量方式のタッチパネルを使用した場合であっても、誤操作を防止することができる技術を提供することを目的する。
【課題を解決するための手段】
【０００６】
上記問題を解決するために、本発明の一態様である防災設備制御装置は、防災設備を操作するボタンを表示可能な表示部と、防災設備を動作させるか否かの判断結果を入力させる判断結果入力ボタン、及び、前記判断結果入力ボタンによる入力を確定させる判断結果確定ボタンの前記表示部への表示を制御する表示制御部と、防災設備を動作させる入力が確定した場合に防災設備を動作させる動作制御部とを備え、前記表示制御部は、前記判断結果入力ボタンが押下されている押下状態であるときには前記判断結果確定ボタンを押下可能に表示する一方、前記判断結果入力ボタンが押下されていない非押下状態であるときには前記判断結果確定ボタンを押下可能に表示しないことを特徴とする。
【０００７】
上記構成によれば、判断結果入力ボタンが非押下状態であるときには判断結果確定ボタンが押下可能に表示されないので、誤操作を防止することができる。
【０００８】
前記表示制御部は、前記判断結果入力ボタンを表示する所定画面を前記表示部に表示し、前記所定画面において前記判断結果入力ボタンが押下されたことに基づいて、前記所定画面において前記判断結果確定ボタンを非表示の状態から表示の状態にするようにしてもよい。
【０００９】
上記構成によれば、誤操作を一層防止することができる。また、最初に押すべきボタンが判断結果入力ボタンであるということが分かり易くなる。
【００１０】
前記表示制御部は、前記判断結果入力ボタンが押下状態であるときに、前記判断結果確定ボタンが押下可能に表示されている旨を強調表示するようにしてもよい。なお、図７（ｂ）の矢印Ｙや図８（ｂ）の背景Ｈは、強調表示の一例である。
【００１１】
上記構成によれば、判断結果確定ボタンが押下可能であることが分かり易くなる。
【００１２】
前記表示制御部は、前記判断結果入力ボタンが押下状態であるときであっても、当該押下状態になった後の所定時間内は前記判断結果確定ボタンを押下可能に表示しないようにしてもよい。
【００１３】
上記構成によれば、判断結果入力ボタン押下後の所定時間内には判断結果確定ボタンが押下可能に表示されないので、誤操作を一層防止することができる。
【００１４】
上記問題を解決するために、本発明の他の一態様である防災設備制御装置は、防災設備を動作させるか否かを指定する指定操作を受け付ける第１操作手段と、前記第１操作手段によって受け付けられた前記指定操作を確定させる確定操作を受け付ける第２操作手段と、防災設備を動作させる前記指定操作が確定した場合に、防災設備を動作させる制御手段とを備え、前記第２操作手段は、前記指定操作が行われているときは前記確定操作を受け付ける一方、前記指定操作が行われる前、及び、前記指定操作が行われた後は前記確定操作を受け付けないことを特徴とする。
【００１５】
上記構成によれば、指定操作が行われる前、及び、指定操作が行われた後は確定操作を受け付けないので、誤操作を防止することができる。
【００１６】
上記問題を解決するために、本発明の他の一態様である防災設備制御方法は、防災設備を操作するボタンを表示可能な表示部を備える防災設備操作装置における防災設備操作方法であって、防災設備を動作させるか否かの判断結果を入力させる判断結果入力ボタン、及び、前記判断結果入力ボタンによる入力を確定させる判断結果確定ボタンの前記表示部への表示を制御する表示制御手段と、防災設備を動作させる入力が確定した場合に防災設備を動作させる動作制御手段とを有し、前記表示制御手段は、前記判断結果入力ボタンが押下されている押下状態であるときには前記判断結果確定ボタンを押下可能に表示する一方、前記判断結果入力ボタンが押下されていない非押下状態であるときには前記判断結果確定ボタンを押下可能に表示しないことを特徴とする。
【００１７】
上記構成によれば、判断結果入力ボタンが非押下状態であるときには判断結果確定ボタンが押下可能に表示されないので、誤操作を防止することができる。
【００１８】
上記問題を解決するために、本発明の他の一態様である防災設備制御方法は、防災設備を動作させるか否かを指定する指定操作を受け付ける第１操作手段と、前記第１操作手段によって受け付けられた前記指定操作を確定させる確定操作を受け付ける第２操作手段と、防災設備を動作させる前記指定操作が確定した場合に、防災設備を動作させる制御手段とを有し、前記第２操作手段は、前記指定操作が行われているときは前記確定操作を受け付ける一方、前記指定操作が行われる前、及び、前記指定操作が行われた後は前記確定操作を受け付けないことを特徴とする。
【００１９】
上記構成によれば、指定操作が行われる前、及び、指定操作が行われた後は確定操作を受け付けないので、誤操作を防止することができる。
【発明の効果】
【００２０】
以上のように、静電容量方式のタッチパネルを使用した場合であっても、誤操作を防止することができる。
【図面の簡単な説明】
【００２１】
【図１】本発明の一実施形態による防災設備制御装置を含む防災システムの構成例である。
【図２】防災設備制御装置の機能ブロック図の一例である。
【図３】防災設備制御装置の動作例を示すフローチャートである。
【図４】防災設備制御装置の動作例を示すフローチャートである。
【図５】防災設備制御装置の動作例を示すフローチャートである。
【図６】防災設備制御装置における表示例である。
【図７】防災設備制御装置における表示例である。
【図８】防災設備制御装置における表示例である。
【発明を実施するための形態】
【００２２】
以下、本発明の実施形態について図面を参照して説明する。図１は、本発明の一実施形態による防災設備制御装置１０を含む防災システム１の構成例である。図１に示すように、防災システム１は、防災設備制御装置１０−１、防災設備制御装置１０−２、…、防災設備制御装置１０−Ｎ、管理装置２０、防災設備３０−１、防災設備３０−２、…、防災設備３０−Ｍを備える。
【００２３】
以下、Ｎ個の防災設備制御装置１０−１、防災設備制御装置１０−２、…、防災設備制御装置１０−Ｎの夫々を特に区別しない場合には防災設備制御装置１０と総称する。また、Ｍ個の防災設備３０−１、防災設備３０−２、…、防災設備３０−Ｍの夫々を特に区別しない場合には防災設備３０と総称する。防災設備制御装置１０と管理装置２０は、ネットワークを介して接続される。管理装置２０と防災設備３０はネットワークを介して接続される。ネットワークは、例えば、有線ＬＡＮ又は無線ＬＡＮなどである。
【００２４】
図１では、防災システム１は、Ｎ個の防災設備制御装置１０を備えるが、防災システム１は少なくとも１つの防災設備制御装置１０を備えていればよい。即ち、図１において「Ｎ」は１以上であればよい。また、図１では、防災システム１は、Ｍ個の防災設備３０を備えるが、防災システム１は少なくとも１つの防災設備３０を備えていればよい。即ち、図１において「Ｍ」は１以上であればよい。なお、防災システム１が備える防災設備制御装置１０の数は、防災設備３０の数よりも少なくてもよいし多くてもよいし同数であってもよい。即ち、「Ｎ」はＭよりも小さい数であってもよいし大きい数であってもよいし同数であってもよい。また、図１では、防災システム１は、１個の管理装置２０を備えるが、防災システム１は２以上の管理装置２０を備えていてもよい。
【００２５】
防災設備３０は、例えば、防火シャッター、防排煙装置等である。防災設備３０は、管理装置２０によって遠隔操作（動作開始、動作停止等）される。即ち、防災設備３０は、ネットワークを介して管理装置２０から送信された制御情報（制御命令）を受信し、当該制御情報に従って動作する。なお、防災設備３０は、管理装置２０による遠隔操作に加えて手動によって操作されてもよい。
【００２６】
管理装置２０は、防災設備３０を管理する装置である。管理装置２０は、例えば、サーバなどであってもよい。管理装置２０は、防災設備３０を遠隔操作する。具体的には、管理装置２０は、ネットワークを介して防災設備制御装置１０から操作情報を受信し、当該操作情報に基づいて、ネットワークを介して防災設備３０に制御情報（制御命令）を送信し、防災設備３０を遠隔操作する。なお、管理装置２０は、操作部を備え、当該操作部における操作者の操作に基づいて、ネットワークを介して防災設備３０に制御情報（制御命令）を送信し、防災設備３０を遠隔操作してもよい。
【００２７】
防災設備制御装置１０は、防災設備３０を制御する装置である。防災設備制御装置１０は、例えば、タッチパネル（例えば、静電容量方式のタッチパネル）を有するコンピュータであってもよい。防災設備制御装置１０は、ネットワークを介して防災設備制御装置１０から操作情報を送信する。上述の如く、操作情報を受信した管理装置２０は、当該操作情報に基づいて防災設備３０を遠隔操作するため、防災設備制御装置１０は、管理装置２０と同様、防災設備３０を遠隔操作する装置の１つである。なお、防災設備制御装置１０は、タッチパネルにおける操作者の操作を受け付けることに基づいて操作情報を送信するが、タッチパネルにおける操作者の操作については後述する。
【００２８】
なお、防災設備３０は、自身の動作状況を管理装置２０に提供してもよい。例えば、防災設備３０は、管理装置２０からの問い合わせに応じて、管理装置２０に動作状況を示した動作状況情報を送信してもよい。また、防災設備３０は、管理装置２０からの問い合わせに代えて又は加えて、動作状況が変化したことに対応して（動作状況が変化する毎に）、管理装置２０に動作状況を示した動作状況情報を送信してもよい。
【００２９】
また、防災設備３０から動作状況情報を受信した管理装置２０は、当該動作状況情報（又は動作状況情報に基づく情報）を防災設備制御装置１０に転送（送信）してもよい。なお、管理装置２０から動作状況情報（又は動作状況情報に基づく情報）を受信した防災設備制御装置１０は、当該動作状況情報（又は動作状況情報に基づく情報）を表示してもよい。また、管理装置２０は、表示部を備え、当該表示部に、防災設備３０から受信した動作状況情報（又は動作状況情報に基づく情報）を表示してもよい。
【００３０】
図２は、防災設備制御装置１０の機能ブロック図の一例である。防災設備制御装置１０は、図２に示すように、表示部１２（タッチパネル）、制御部１４及び通信部１６を備える。
【００３１】
表示部１２は、防災設備３０を操作するボタンを表示可能である。防災設備３０を操作するボタンとは、例えば、図６〜図８に示した「はい」ボタン、「いいえ」ボタン、「決定」ボタンなどである。
【００３２】
制御部１４は、防災設備３０を動作させるか否かの判断結果（即ち、「はい」又は「いいえ」）を入力させる判断結果入力ボタン（例えば、図６〜図８に示した「はい」ボタン、「いいえ」ボタン）の表示部１２への表示を制御する。また、制御部１４は、判断結果入力ボタンによる入力を確定させる判断結果確定ボタン（例えば、図６〜図８に示した「決定」ボタン）の表示部１２への表示を制御する。判断結果入力ボタン及び判断結果確定ボタンの表示に関する詳細は後述する。
【００３３】
制御部１４は、防災設備３０を動作させる入力が確定した場合に防災設備３０を動作させる。即ち、防災設備３０を動作させる旨の判断結果の入力（例えば、「はい」ボタンの押下）が、判断結果確定ボタンの押下によって確定した場合に、通信部１６を介して、管理装置２０に防災設備３０を動作させる操作情報を送信する。
【００３４】
通信部１６は、管理装置２０と通信する。例えば、通信部１６は、判断結果確定ボタンの押下によって確定した場合に、管理装置２０に防災設備３０を動作させる操作情報を送信する。
【００３５】
また、通信部１６は、管理装置２０から、防災設備３０の動作状況情報（又は動作状況情報に基づく情報）を受信してもよい。通信部１６は、防災設備３０の動作状況情報（又は動作状況情報に基づく情報）を受信したときは、当該動作状況情報等を制御部１４に供給する。制御部１４は、通信部１６から供給された動作状況情報等に基づいて、防災設備３０の動作状況を表示部１２に表示する。
【００３６】
以下、判断結果入力ボタン及び判断結果確定ボタンの表示に関して詳しく説明する。制御部１４は、判断結果入力ボタンが押下されている押下状態であるときには判断結果確定ボタンを押下可能に表示する。一方、制御部１４は、判断結果入力ボタンが押下されていない非押下状態であるときには判断結果確定ボタンを押下可能に表示しない。つまり、制御部１４は、判断結果入力ボタンがタッチされている最中に限って、判断結果確定ボタンのタッチが可能であるように制御する。
【００３７】
制御部１４は、判断結果入力ボタンを表示する所定画面（例えば、図６〜図８に示した確認画面）を表示部１２に表示し、所定画面において判断結果入力ボタンが押下されたことに基づいて、所定画面において判断結果確定ボタンを非表示の状態から表示の状態にしてもよい。つまり、制御部１４は、所定画面において、当初は判断結果入力ボタンを表示しておき（判断結果確定ボタンは非表示としておき）、判断結果入力ボタンがタッチされた場合に、判断結果確定ボタンを表示してもよい。換言すれば、制御部１４は、所定画面において判断結果入力ボタンの押下が開始されたことに基づいて、所定画面において判断結果確定ボタンの表示を開始するようにしてもよい。
【００３８】
制御部１４は、所定画面において判断結果入力ボタンが押下状態から非押下状態になったことに基づいて、所定画面において判断結果確定ボタンを表示の状態から非表示の状態にしてもよい。つまり、制御部１４は、タッチしていた判断結果入力ボタンから手（指）を離した場合に、表示している判断結果確定ボタンを消去してもよい。換言すれば、制御部１４は、所定画面において判断結果入力ボタンの押下が終了したことに基づいて、所定画面において判断結果確定ボタンの表示を終了するようにしてもよい。
【００３９】
また、制御部１４は、判断結果入力ボタンが押下状態であるときに、判断結果確定ボタンが押下可能に表示されている旨を強調表示してもよい。
【００４０】
図３〜図５は、防災設備制御装置１０の動作例を示すフローチャートである。なお、図３のフローチャートは、制御対象の防災設備３０が特定（例えば、表示部１２にて制御対象の防災設備３０が指定）されたことにより開始されるものとする。図４（ａ）、図４（ｂ）、図５（ａ）、図５（ｂ）の各フローチャートは、図３のフローチャートに続くフローチャートである。
【００４１】
なお、図３〜図５の各フローチャートにおいて、「はい」ボタン及び「いいえ」ボタンは、判断結果入力ボタンの一例である。また、図４〜図５の各フローチャートにおいて、「決定」ボタンは、判断結果確定ボタンの一例である。
【００４２】
図３において、制御部１４は、「はい」ボタンは押下状態であるか否かを判断する（ステップＳ１０）。つまり、制御部１４は、「はい」ボタンがタッチされているか否かを判断する。なお、制御部１４は、例えば、静電容量の値や静電容量の値の変化などに基づいて、「はい」ボタンが押下状態であるか否かを判断してもよい。
【００４３】
ステップＳ１０において「はい」ボタンは押下状態でないと判断した場合（ステップＳ１０；ＮＯ）、制御部１４は、「いいえ」ボタンは押下状態であるか否かを判断する（ステップＳ２０）。つまり、制御部１４は、「いいえ」ボタンがタッチされているか否かを判断する。なお、制御部１４は、例えば、静電容量の値や静電容量の値の変化などに基づいて、「いいえ」ボタンが押下状態であるか否かを判断してもよい。
【００４４】
ステップＳ２０において「いいえ」ボタンは押下状態でないと判断した場合（ステップＳ２０；ＮＯ）、制御部１４は、「はい」ボタンが押下されたか否かを判断する（ステップＳ３０）。つまり、制御部１４は、「はい」ボタンも「いいえ」ボタンもタッチされていないときに、「はい」ボタンがタッチされたか否かを判断する。なお、制御部１４は、例えば、静電容量の値や静電容量の値の変化などに基づいて、「はい」ボタンが押下されたか否かを判断してもよい。
【００４５】
ステップＳ３０において「はい」ボタンが押下されなかったと判断した場合（ステップＳ３０；ＮＯ）、制御部１４は、「いいえ」ボタンが押下されたか否かを判断する（ステップＳ４０）。つまり、制御部１４は、「はい」ボタンも「いいえ」ボタンもタッチされていないときに、「いいえ」ボタンがタッチされたか否かを判断する。なお、制御部１４は、例えば、静電容量の値や静電容量の値の変化などに基づいて、「いいえ」ボタンが押下されたか否かを判断してもよい。
【００４６】
ステップＳ４０において「いいえ」ボタンが押下されなかったと判断した場合（ステップＳ４０；ＮＯ）、ステップＳ１０に戻る。
【００４７】
図４（ａ）は、ステップＳ３０において「はい」ボタンが押下されたと判断した場合（ステップＳ３０；ＹＥＳ）のフローチャートである。ステップＳ３０において「はい」ボタンが押下されたと判断した場合（ステップＳ３０；ＹＥＳ）、制御部１４は、「決定」ボタンを押下可能（操作受付可能）に表示し（ステップＳ３１）、図３のステップＳ１０に戻る。
【００４８】
図４（ｂ）は、ステップＳ１０において「はい」ボタンは押下状態であると判断した場合（ステップＳ１０；ＹＥＳ）のフローチャートである。ステップＳ１０において「はい」ボタンは押下状態であると判断した場合（ステップＳ１０；ＹＥＳ）、制御部１４は、「決定」ボタンが押下されたか否かを判断する（ステップＳ１１）。つまり、制御部１４は、「はい」ボタンが押下されているときに「決定」ボタンが押下されたか否かを判断する。
【００４９】
ステップＳ１１において「決定」ボタンが押下されなかったと判断した場合（ステップＳ１１；ＮＯ）、制御部１４は、「はい」ボタンは非押下状態であるか否かを判断する（ステップＳ１２）。つまり、制御部１４は、タッチされていた「はい」ボタンから手（指）が離されたか否かを判断する。なお、制御部１４は、例えば、静電容量の値や静電容量の値の変化などに基づいて、「はい」ボタンが非押下状態であるか否かを判断してもよい。
【００５０】
ステップＳ１２において「はい」ボタンは非押下状態でないと判断した場合（ステップＳ１２；ＮＯ）、即ち、「はい」ボタンはタッチされたままであると判断した場合、図３のステップＳ１０に戻る。
【００５１】
ステップＳ１２において「はい」ボタンは非押下状態であると判断した場合（ステップＳ１２；ＹＥＳ）、即ち、「はい」ボタンから手（指）が離されたと判断した場合、制御部１４は、「決定」ボタンを消去し（ステップＳ１３）、図３のステップＳ１０に戻る。
【００５２】
ステップＳ１１において「決定」ボタンが押下されたと判断した場合（ステップＳ１１；ＹＥＳ）、制御部１４は、通信部１６を介して管理装置２０に防災設備３０を動作させる操作情報を送信し（ステップＳ１４）、「決定」ボタンを消去し（ステップＳ１５）、フローチャートは終了する。
【００５３】
図５（ａ）は、ステップＳ４０において「いいえ」ボタンが押下されたと判断した場合（ステップＳ４０；ＹＥＳ）のフローチャートである。ステップＳ４０において「いいえ」ボタンが押下されたと判断した場合（ステップＳ４０；ＹＥＳ）、制御部１４は、「決定」ボタンを押下可能（操作受付可能）に表示し（ステップＳ４１）、図３のステップＳ１０に戻る。
【００５４】
図５（ｂ）は、ステップＳ２０において「いいえ」ボタンは押下状態であると判断した場合（ステップＳ２０；ＹＥＳ）のフローチャートである。ステップＳ２０において「いいえ」ボタンは押下状態であると判断した場合（ステップＳ２０；ＹＥＳ）、制御部１４は、「決定」ボタンが押下されたか否かを判断する（ステップＳ２１）。つまり、制御部１４は、「いいえ」ボタンが押下されているときに「決定」ボタンが押下されたか否かを判断する。
【００５５】
ステップＳ２１において「決定」ボタンが押下されなかったと判断した場合（ステップＳ２１；ＮＯ）、制御部１４は、「いいえ」ボタンは非押下状態であるか否かを判断する（ステップＳ２２）。つまり、制御部１４は、タッチされていた「いいえ」ボタンから手（指）が離されたか否かを判断する。なお、制御部１４は、例えば、静電容量の値や静電容量の値の変化などに基づいて、「いいえ」ボタンが非押下状態であるか否かを判断してもよい。
【００５６】
ステップＳ２２において「いいえ」ボタンは非押下状態でないと判断した場合（ステップＳ２２；ＮＯ）、即ち、「いいえ」ボタンはタッチされたままであると判断した場合、図３のステップＳ１０に戻る。
【００５７】
ステップＳ２２において「いいえ」ボタンは非押下状態であると判断した場合（ステップＳ２２；ＹＥＳ）、即ち、「いいえ」ボタンから手（指）が離されたと判断した場合、制御部１４は、「決定」ボタンを消去し（ステップＳ２３）、図３のステップＳ１０に戻る。
【００５８】
ステップＳ２１において「決定」ボタンが押下されたと判断した場合（ステップＳ２１；ＹＥＳ）、制御部１４は、「決定」ボタンを消去し（ステップＳ２５）、フローチャートは終了する。
【００５９】
なお、図３〜図５のフローチャートでは、「決定」ボタンは、「はい」ボタン又は「いいえ」ボタンが押下されていないときには非表示となるが、非表示ではなく、押下を受け付けない態様にて表示してもよい。つまり、例えば、制御部１４は、図４（ｂ）のステップＳ１２において「はい」ボタンは非押下状態であると判断した場合（ステップＳ１２；ＹＥＳ）、制御部１４は、「決定」ボタンを消去するのではなく、押下を受け付けない態様で表示してもよい（ステップＳ１３）。
【００６０】
また、図３及び図５のフローチャートでは、「はい」ボタンが押下された場合と同様、「いいえ」ボタンが押下された場合にも、その後に「決定」ボタンが押下される迄、処理は終了しないが、「いいえ」ボタンが押下された場合には誤動作に繋がらないため、「いいえ」ボタンが押下された場合にはそのまま処理を終了してもよい。
【００６１】
図６は、防災設備制御装置１０における表示例である。制御部１４は、制御対象の防災設備３０が特定（例えば、表示部１２にて制御対象の防災設備３０が指定）された場合、例えば、図６（ａ）に示すような確認画面を表示部１２に表示する。
【００６２】
図６（ａ）の「はい」ボタンと「いいえ」ボタンにおける実線（通常の太さの実線）は、当該ボタンが押下可能（操作受付可能）に表示されている旨を示している。他図の各ボタンにおける実線（通常の太さの実線）も同様である。また、図６（ａ）の「決定」ボタンにおける破線は、当該ボタンが押下可能（操作受付可能）に表示されていない旨を示している。他図の各ボタンにおける破線も同様である。なお、ボタンが押下可能（操作受付可能）に表示されていないとは、ボタンが表示されていない場合、又は、ボタンが表示されているものの押下を受け付けない態様にて表示されている場合の何れも含む概念である。
【００６３】
例えば、図６（ａ）の表示状態から「はい」ボタンが押下された場合には（図３のステップＳ３０（ＹＥＳ）参照）、図６（ｂ）のような表示状態になる。つまり、「決定」ボタンを押下可能に表示する（図４（ａ）のステップＳ３１参照）。なお、図６（ｂ）の「はい」ボタンにおける実線（通常よりも太い実線）は、「はい」ボタンが押下されている旨を示している。他図の各ボタンにおける実線（通常よりも太い実線）も同様である。
【００６４】
例えば、図６（ｂ）の表示状態から「はい」ボタンの押下が終了した場合には（図４（ｂ）のステップＳ１２（ＹＥＳ）参照）、図６（ａ）のような表示状態になる。つまり、「決定」ボタンを消去する（図４（ｂ）のステップＳ１３参照）。
【００６５】
図７は、防災設備制御装置１０における他の表示例である。制御部１４は、制御対象の防災設備３０が特定（例えば、表示部１２にて制御対象の防災設備３０が指定）された場合、例えば、図７（ａ）に示すような確認画面を表示部１２に表示する。図７（ａ）の確認画面は、図６（ａ）の確認画面と同一である。
【００６６】
例えば、図７（ａ）の表示状態から「はい」ボタンが押下された場合には（図３のステップＳ３０（ＹＥＳ）参照）、図７（ｂ）のような表示状態となってもよい。つまり、「決定」ボタンを押下可能に表示するとともに（図４（ａ）のステップＳ３１参照）、「決定」ボタンが押下可能に表示されている旨を矢印Ｙにて強調表示してもよい。
【００６７】
なお、図６の表示例と同様、図７（ｂ）の表示状態から「はい」ボタンの押下が終了した場合には、図７（ａ）のような表示状態になる。
【００６８】
図８は、防災設備制御装置１０における他の表示例である。制御部１４は、制御対象の防災設備３０が特定（例えば、表示部１２にて制御対象の防災設備３０が指定）された場合、例えば、図８（ａ）に示すような確認画面を表示部１２に表示してもよい。図８（ａ）の確認画面は、図６（ａ）の確認画面と文言が異なる。なお、図８（ａ）における「決定」ボタンは、図６（ａ）における「決定」ボタンよりも視認し難いものとする。このため、図８（ａ）では、視認し難い「決定」ボタンについて言及していない。
【００６９】
例えば、図８（ａ）の表示状態から「はい」ボタンが押下された場合には（図３のステップＳ３０（ＹＥＳ）参照）、図８（ｂ）のような表示状態となってもよい。つまり、「決定」ボタンを押下可能に表示するとともに（図４（ａ）のステップＳ３１参照）、「決定」ボタンが押下可能に表示されている旨を背景Ｈにて強調表示してもよい。背景Ｈは、「決定」ボタンが表示されていることを分かり易くする色彩、模様などであればよい。
【００７０】
以上、本発明の一実施形態による防災設備制御装置１０の制御部１４は、判断結果入力ボタンが押下状態であるときには判断結果確定ボタンを押下可能に表示する一方、判断結果入力ボタンが非押下状態であるときには判断結果確定ボタンを押下可能に表示しないようにしている（図３〜図５参照）。また、制御部１４は、判断結果入力ボタンを表示する所定画面（図６〜図８参照）を表示部１２に表示し、所定画面において判断結果入力ボタンが押下されたことに基づいて、所定画面において判断結果確定ボタンを非表示の状態から表示の状態にしている（図４（ａ）、図５（ａ）参照）。また、制御部１４は、判断結果入力ボタンが押下状態であるときに、判断結果確定ボタンが押下可能に表示されている旨を強調表示する場合もある（図７、図８参照）。
【００７１】
以上、防災設備制御装置１０によれば、静電容量方式のタッチパネルを使用した場合であっても、誤操作を防止することができる。特に、上述の如く、判断結果入力ボタンが押下状態であるか非押下状態であるか否かに応じて判断結果確定ボタンの表示を制御するため、簡便に誤操作を防止することができる。
【００７２】
なお、実施形態では、制御部１４は、判断結果入力ボタン（「はい」ボタン等）が押下された場合に直ちに判断結果確定ボタン（「決定」ボタン）を押下可能に表示しているが（図３、図４（ａ）等参照）、判断結果入力ボタンが押下された場合に直ちに判断結果確定ボタンを押下可能に表示しなくてもよい。つまり、制御部１４は、判断結果入力ボタンが押下状態であるときであっても、当該押下状態になった後の所定時間内は判断結果確定ボタンを押下可能に表示しないようにしてもよい。換言すれば、制御部１４は、押下状態が所定時間維持されたことに基づいて、判断結果確定ボタンを押下可能に表示するようにしてもよい。これにより、所定時間内には判断結果確定ボタンが押下可能に表示されないので、誤操作を一層防止することができる。
【００７３】
また、押下可能に表示した「決定」を移動表示（例えば、左右方向にスクロール表示等）してもよい。これにより、「決定」ボタンを押下するときに慎重になるため（又は、時間がかかるため）、誤動作を一層防止することができる。移動表示する場合の移動速度は、表示開始前が最も早く、段階的（段階は高速／低速の２段階も含む）に、速度を落とすようにしてもよい。これにより、判断結果入力ボタンが押下状態になった直後は、判断結果確定ボタンの押下が難しくなるため、判断結果入力ボタンが押下状態になった後の所定時間内は判断結果確定ボタンを押下可能に表示しない場合と同様の効果を得ることができる。
【００７４】
また、各ボタンの配置位置は、図６〜図８に示した位置に限定されない。例えば、図６〜図８は、片手で操作（例えば、左手人指指で「はい」ボタンを押下しつつ左手親指で「決定」ボタンを押下）できるような位置に各ボタンを配置した例であるが、片手で操作できない位置（両手にて操作する必要があるほど離れた位置）に各ボタンを配置してもよい。片手で操作できない位置に各ボタンを配置することにより、誤操作を一層防止することができる。一方、片手で操作できる位置に各ボタンを配置すれば、両手を使わなくても、誤操作を防止することができる。
【００７５】
また、実施形態では、判断結果入力ボタンとして「はい」ボタンや「いいえ」ボタンを例示し、判断結果確定ボタンとして「決定」ボタンを例示したが、ボタンの名称は、上記に限定されない。例えば、判断結果確定ボタンは、「確定」ボタンであってもよいし、「確認」ボタンであってもよいし、「送信」ボタンであってもよい。
【００７６】
また、実施形態では、防災設備制御装置１０と管理装置２０の接続（ネットワーク）は、例えば有線ＬＡＮ又は無線ＬＡＮによる接続であると説明したが、防災設備制御装置１０と管理装置２０の接続形態は、これに限定されない。例えば、専用の通信プロトコルを用いた接続や、ＲＳ−２３２Ｃ等のシリアル通信による接続であってもよい。管理装置２０と防災設備３０との接続についても同様である。また、管理装置２０を設けない構成（後述）における、防災設備制御装置１０と防災設備３０の接続についても同様である。
【００７７】
なお、上述の接続とも関連するが、防災システム１は、同一建物内（若しくは同一の施設内。以下同様）に構築されるものであってもよいし、同一建物内に構築されるものでなくてもよい。つまり、防災設備制御装置１０、管理装置２０、防災設備３０が、何れも同一建物内に設置されてもよいし、何れか１つが建物Ａに設置され、他の２つが建物Ｂに設置されてもよいし、夫々が、異なる建物Ａ、Ｂ、Ｃに設置されてもよい。また、防災設備３０−１、防災設備３０−２、…が、夫々、異なる建物に設置されてもよい。また、設置場所の一部又は全部が、屋外であってもよい。
【００７８】
また、実施形態では、防災システム１は、図１に示すように、防災設備制御装置１０と、管理装置２０と、防災設備３０とを夫々備えるが、システム構成は、これに限定されない。例えば、防災システム１に防災設備３０が１つしか存在しない構成においては、管理装置２０を設けない構成としてもよい。当該構成においては、防災設備制御装置１０が、直接、防災設備３０に制御情報（制御命令）を送信すればよい。また、防災システム１に防災設備３０が２つ以上存在する構成においても、例えば、防災設備制御装置１０に管理装置２０の機能を兼ね備えさせることにより、管理装置２０を設けない構成としてもよい。換言すれば、防災設備制御装置１０と管理装置２０は別個の筐体ではなく同一の筐体としてもよい。当該構成においては、防災設備制御装置１０は、直接、制御対象の防災設備３０（表示部１２にて指定された防災設備３０）に制御情報（制御命令）を送信すればよい。
【００７９】
なお、本発明の一実施形態による防災設備制御装置１０の各処理を実行するためのプログラムをコンピュータ読み取り可能な記録媒体に記録して、当該記録媒体に記録されたプログラムをコンピュータシステムに読み込ませ、実行することにより、本発明の一実施形態による防災設備制御装置１０の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８１】
以上、この発明の実施形態について図面を参照して詳述してきたが、具体的な構成はこの実施形態に限られるものではなく、この発明の要旨を逸脱しない範囲の設計等も含まれる。
【符号の説明】
【００８２】
１  防災システム
１０  防災設備制御装置
１２  表示部（タッチパネル）
１４  制御部（表示制御部、動作制御部）
１６  通信部
２０  管理装置
３０  防災設備
【図１】
2016177338.tif 000003
【図２】
2016177338.tif 000004
【図３】
2016177338.tif 000005
【図４】
2016177338.tif 000006
【図５】
2016177338.tif 000007
【図６】
2016177338.tif 000008
【図７】
2016177338.tif 000009
【図８】
2016177338.tif 000010